(57)【要約】      （修正有）【課題】給紙トレイの用紙交換時に取り出される用紙に対して、その用紙に関する情報の管理を容易に行うことができる画像形成装置を提供する。【解決手段】用紙を収納する給紙トレイと、給紙トレイに対し用紙情報を設定する設定手段と、設定手段によって設定された用紙情報を記憶する記憶部７２と、記憶部７２によって記憶された用紙情報を表示する表示部２０と、を備え、制御部７１は、給紙トレイから用紙が取り出された場合に、各給紙トレイに対して設定された用紙情報を履歴情報として記憶部７２に記憶させる。そして、記憶された履歴情報を表示部２０に表示させる。ここで、記憶部７２は、各給紙トレイに対して設定された用紙情報を履歴情報として複数記憶できる。【選択図】図２
2016182712.tif 000002
【特許請求の範囲】
【請求項１】
用紙を収納する給紙トレイと、
前記給紙トレイに対し用紙情報を設定する設定手段と、
前記設定手段によって設定された前記用紙情報を記憶する記憶部と、
前記記憶部によって記憶された前記用紙情報を表示する表示部と、
を備え、前記給紙トレイから供給された用紙に画像を形成する画像形成装置において、
前記給紙トレイから用紙が取り出された場合に、前記給紙トレイに対し設定された前記用紙情報を履歴情報として前記記憶部に記憶させる制御部を備え、
前記記憶部は、複数の前記履歴情報を記憶可能であり、
前記制御部は、前記記憶部によって記憶されている前記履歴情報を前記表示部に表示させることを特徴とする画像形成装置。
【請求項２】
前記履歴情報は、用紙交換順情報を含むことを特徴とする請求項１に記載の画像形成装置。
【請求項３】
前記用紙交換順情報とは、用紙の取り出しに対応した時刻であることを特徴とする請求項２に記載の画像形成装置。
【請求項４】
前記制御部は、前記用紙交換順情報に基づき、前記履歴情報のうち、少なくとも最新のものを前記表示部に表示させることを特徴とした請求項２又は３に記載の画像形成装置。
【請求項５】
前記制御部は、前記用紙交換順情報に基づき、前記履歴情報を用紙交換順に前記表示部に表示させることを特徴とした請求項２から４のいずれか一項に記載の画像形成装置。
【請求項６】
前記給紙トレイは複数であることを特徴とする請求項１から５のいずれか一項に記載の画像形成装置。
【請求項７】
前記履歴情報は、いずれの前記給紙トレイから用紙が取り出されたかの情報を含むこと特徴とする請求項６に記載の画像形成装置。
【請求項８】
前記制御部は、いずれの前記給紙トレイから用紙が取り出されたかの情報に基づき、前記履歴情報を前記給紙トレイ毎に分割して前記表示部に表示させることを特徴とする請求項７に記載の画像形成装置。
【請求項９】
指示情報を入力する入力部を備え、
前記制御部は、いずれの前記給紙トレイから用紙が取り出されたかの情報と前記履歴情報に含まれる用紙交換順情報とに基づき、前記入力部によって指定された少なくとも一つの指定トレイに対して、前記指定トレイに対応した前記給紙トレイの前記履歴情報を用紙交換順に前記表示部に表示させることを特徴とする請求項７又は８に記載の画像形成装置。
【請求項１０】
前記制御部は、前記給紙トレイの開閉に伴って前記履歴情報の記憶処理を開始することを特徴とする請求項１から９のいずれか一項に記載の画像形成装置。
【請求項１１】
前記制御部は、前記設定手段によって前記用紙情報が変更された場合に、前記履歴情報を前記記憶部に記憶させることを特徴とする請求項１から１０のいずれか一項に記載の画像形成装置。
【請求項１２】
指示情報を入力する入力部を備え、
前記制御部は、前記履歴情報を削除する指示を前記入力部から受信した場合に、前記表示部に前記履歴情報の表示を消去させることを特徴とする請求項１から１１のいずれか一項に記載の画像形成装置。
【請求項１３】
指示情報を入力する入力部を備え、
前記制御部は、前記履歴情報を削除する指示を前記入力部から受信した場合に、前記記憶部に前記履歴情報を削除させることを特徴とする請求項１から１２のいずれか一項に記載の画像形成装置。
【請求項１４】
前記履歴情報は、用紙種類、用紙名称、用紙坪量、ジョブ情報、印刷画像情報、のうち、少なくとも一つを含むことを特徴とする請求項１から１３のいずれか一項に記載の画像形成装置。
【請求項１５】
前記制御部は、前記履歴情報として用紙を示す記号を作成し、作成した前記記号を前記表示部に表示させることを特徴とする請求項１から１４のいずれか一項に記載の画像形成装置。
【請求項１６】
指示情報を入力する入力部を備え、
前記制御部は、前記用紙を示す記号をいずれの方向に並べて表示させるかの指示を前記入力部から受信した場合に、前記用紙を示す記号を指示された方向に並べて前記表示部に表示させることを特徴とする請求項１５に記載の画像形成装置。
【発明の詳細な説明】
【技術分野】
【０００１】
本発明は、用紙に画像を形成する画像形成装置に関し、特に用紙の管理に関する。
【背景技術】
【０００２】
画像形成装置は、画像形成や動作に関する様々な設定情報に基づいて画像を形成している。これらの設定情報は、画像形成装置のメンテナンス等を行う場合には、確認が必要となる。設定情報を確認するために、画像形成装置には従来から設定情報を表示したり、印刷したりする機能が設けられている。
【０００３】
特許文献１には、プリンター設定情報の印刷指示があった場合に、プリンター設定情報を表すテキストデータを作成し、このテキストデータに対してラスタライズ処理を実行して印刷イメージを生成し、生成した印刷イメージに基づいてプリンター設定情報を印刷するプリンターが提案されている。
【０００４】
画像形成装置における設定情報には、用紙情報（用紙のサイズ、種類、坪量など）も含まれる。画像形成装置では、この用紙情報を用いてそれぞれの用紙に適した条件で画像を形成している。用紙情報は、各給紙トレイに対し一つ、用紙が装填される際にユーザーによって設定される。ユーザーは、用紙が包装される包装紙に記載された情報などに基づいて用紙情報を設定する。
【先行技術文献】
【特許文献】
【０００５】
【特許文献１】特開２００５−２４６８２０号公報
【発明の概要】
【発明が解決しようとする課題】
【０００６】
ところで、画像形成装置において、給紙トレイの用紙を交換する場合、もともと給紙トレイに収納されていた用紙は取り出される。多種類の用紙を使用する印刷業界では、取り出した用紙を将来再装填するために、取り出した用紙をそれぞれの用紙情報が管理されている保管場所に戻すなどして用紙を管理している。その保管場所が、倉庫等、画像形成装置から離れることもある。
【０００７】
それに対し、保管場所に戻さず、用紙交換の際に取り出した用紙を画像形成装置の周辺に一時的に放置する場合も考えられる。このような場合、その用紙がどのような用紙なのかを放置している間に忘れてしまい、その用紙を戻すべき保管場所に戻せなくなるという問題がある。
【０００８】
このような問題に対し、特許文献１に提案されているようにユーザーからプリンター設定情報（プリンター設定情報には用紙情報が含まれる）の印刷指示を受け付けた場合にプリンター設定情報を印刷すれば、印刷された用紙情報を見て取り出した用紙の用紙情報を確認できるので、取り出した用紙を保管場所に戻すことができる。しかし、プリンター設定情報を印刷するのを忘れて取り出した用紙の用紙情報に対して交換後の用紙の用紙情報を上書きしてしまった場合は、取り出した用紙の用紙情報を印刷できなくなり、取り出した用紙の用紙情報を確認する手段がなくなるので、取り出した用紙がどのような用紙なのか分からなくなる。また、取り出した用紙のプリンター設定情報を印刷できた場合においても、画像形成装置における設定情報の全体を印刷するので、その中に含まれる用紙情報が確認しにくいという問題がある。
【０００９】
本発明は、上記の従来技術における問題に鑑み、給紙トレイの用紙交換時に取り出される用紙に対して、その用紙に関する情報の管理を容易に行うことを課題とする。
【課題を解決するための手段】
【００１０】
上記課題を解決するために、本発明の様態は、用紙を収納する給紙トレイと、給紙トレイに対し用紙情報を設定する設定手段と、設定手段によって設定された用紙情報を記憶する記憶部と、記憶部によって記憶された用紙情報を表示する表示部と、を備え、給紙トレイから供給された用紙に画像を形成する画像形成装置において、給紙トレイから用紙が取り出された場合に、給紙トレイに対し設定された用紙情報を履歴情報として記憶部に記憶させる制御部を備え、記憶部は、複数の履歴情報を記憶可能であり、制御部は、記憶部によって記憶されている履歴情報を表示部に表示させることを特徴とする画像形成装置であることを要旨とする。
【発明の効果】
【００１１】
本発明によれば、給紙トレイの用紙交換時に取り出される用紙に対して、その用紙に関する情報の管理を容易に行うことができる。
【図面の簡単な説明】
【００１２】
【図１】本発明の実施形態に係る画像形成装置の概略構成図である。
【図２】画像形成装置の機能的構成を示すブロック図である。
【図３】トレイ設定情報および履歴情報の記憶構造の例を示す図である。
【図４】履歴情報の記憶処理を示すフローチャートである。
【図５】トレイ設定情報を変更する処理のフローチャートである。
【図６】用紙設定画面を示す図である。
【図７】設定変更画面を示す図である。
【図８】トレイ設定情報および履歴情報の記憶例を示す図である。
【図９】履歴情報表示処理を示すフローチャートである。
【図１０】履歴情報表示画面を示す図である。
【図１１】履歴情報としてジョブ情報およびジョブのサムネイル情報を用いる場合の履歴情報の記憶処理を示すフローチャートである。
【図１２】ジョブ情報およびジョブのサムネイル情報の記憶処理を示すフローチャートである。
【図１３】履歴情報としてジョブ情報およびジョブのサムネイル情報を用いる場合の履歴情報の記憶例を示す図である。
【図１４】履歴情報としてジョブ情報およびジョブのサムネイル情報を用いる場合の履歴情報表示画面を示す図である。
【図１５】履歴情報表示領域に用紙を示す記号を表示する例である。
【図１６】履歴情報表示領域に机を示す記号を表示し、机を示す記号上に用紙を示す記号を表示する例である。
【発明を実施するための形態】
【００１３】
以下、本発明を実施するための形態について説明する。
【００１４】
図１は、画像形成装置１００の概略構成図である。画像形成装置１００は、操作部１０、表示部２０、スキャナー部３０、画像形成部４０、給紙部５０、用紙処理部６０、画像読取部７０等を備える。
【００１５】
操作部１０は、表示部２０の表示画面上を覆うように形成されたタッチパネル、数字釦、スタート釦等の各種操作釦等を備え、ユーザーによる操作に基づいて操作信号を制御部７１（図２で説明する）に出力する。
【００１６】
表示部２０は、液晶ディスプレイ（ＬＣＤ）、ＥＬ（エレクトロルミネッセンス）等により構成され、制御部７１（図２参照）から入力される表示信号の指示に従って各種画面を表示する。
【００１７】
スキャナー部３０は、自動原稿搬送装置（ＡＤＦ）等を備え、原稿の画像を読み取って得られた画像データを制御部７１（図２参照）に出力する。
【００１８】
画像形成部４０は、スキャナー部３０によって読み取られた画像データまたは外部装置から受信した画像データに基づいて、給紙部５０の給紙トレイＴ１〜Ｔ４から供給された用紙に対して画像を形成する。
【００１９】
給紙部５０は、複数の給紙トレイＴ１〜Ｔ４を備え、画像形成部４０に用紙を供給する。各給紙トレイＴ１〜Ｔ４には、用紙が収納される。
【００２０】
用紙処理部６０は、画像形成部４０によって画像が形成された用紙に対し、必要に応じてソート処理、ステープル処理、パンチ穴開け処理、折り処理、製本処理等の用紙処理を行う。用紙処理部６０は、用紙を排紙トレイＴ１１または排紙トレイＴ１２に排出する。
【００２１】
図２は、画像形成装置１００の機能的構成を示すブロック図である。図２に示すように、画像形成装置１００は、操作部１０、表示部２０、スキャナー部３０、画像形成部４０、給紙部５０、用紙処理部６０、制御部７１、記憶部７２、通信部７３、搬送部７４、開閉検知センサー７５、用紙検知センサー７６等を備える。以下では、すでに説明した機能部については説明を省略する。
【００２２】
制御部７１は、ＣＰＵ（中央演算処理装置）、ＲＯＭ（リードオンリーメモリー）、ＲＡＭ（ランダムアクセスメモリー）等により構成される。ＣＰＵは、操作部１０から入力される操作信号または通信部７３により受信される指示信号に応じて、ＲＯＭに記憶されている各種処理プログラムを読み出してＲＡＭに展開し、展開されたプログラムに従って画像形成装置１００の各部の動作を集中制御する。
【００２３】
記憶部７２は、ハードディスクやフラッシュメモリー等によって構成され、各種データを記憶する。記憶部７２には、複数の用紙情報および用紙に対する制御情報が記憶されている。用紙情報には、用紙のサイズ、種類、坪量、色などが含まれる。用紙に対する制御情報には、両面印刷における表面・裏面の倍率、表裏調整値（画像シフト量）、二次転写出力（搬送力）、定着温度、定着速度（搬送速度）などの用紙毎のプロセス調整値などが含まれる。また、記憶部７２には、給紙トレイＴ１〜Ｔ４毎にトレイ設定情報が記憶される。トレイ設定情報には、給紙トレイの番号（Ｔ１〜Ｔ４）、および、給紙トレイに収納されている用紙の用紙情報（用紙のサイズ、用紙の種類、用紙の名称、用紙の坪量）が含まれる。また、記憶部７２には、給紙トレイＴ１〜Ｔ４毎に履歴情報が記録される。履歴情報とは、給紙トレイＴ１〜Ｔ４のいずれか一つから用紙が取り出された場合に、各給紙トレイＴ１〜Ｔ４に対して設定された取り出される前の用紙情報を履歴情報として記憶部７２に記憶しておくための情報である。
【００２４】
図３に、各給紙トレイＴ１〜Ｔ４に対して設定されるトレイ設定情報および履歴情報の記憶構造の例を示す。トレイ設定情報および履歴情報は記憶部７２に記憶される。
【００２５】
トレイ設定情報には、前述したように、給紙トレイの番号（Ｔ１〜Ｔ４）、用紙のサイズ、用紙の種類、用紙の名称、用紙の坪量が含まれる。用紙の名称とは、ユーザーによって用紙を容易に区別するため設定される任意の名称である。
【００２６】
履歴情報には、給紙トレイＴ１〜Ｔ４から用紙が取り出された時刻、用紙のサイズ、用紙の種類、用紙の名称、用紙の坪量、取り出しフラグが含まれる。なお、取り出しフラグとは、給紙トレイＴ１〜Ｔ４から用紙が取り出されたことを管理するために、記憶部７２において「Ｙｅｓ」または「Ｎｏ」に設定される情報として記憶されるフラグである。取り出しフラグが「Ｙｅｓ」に設定された履歴情報は、後に表示部２０に表示させる。逆に、取り出しフラグが「Ｎｏ」に設定された履歴情報は、後に表示部２０に表示させない。取り出しフラグの用い方については後に図９で説明する。
【００２７】
各給紙トレイに対して履歴情報が複数ある場合、給紙トレイＴ１〜Ｔ４から用紙が取り出された順序を記憶部７２に記憶するために、個々の履歴情報が連結リストの構造で給紙トレイ毎に記憶部７２に記憶される。
【００２８】
通信部７３は、ＬＡＮ（ローカルエリアネットワーク）等の通信ネットワークに接続された外部装置との間でデータの送受信を行う。
【００２９】
搬送部７４は、用紙を搬送するための搬送ローラーを備え、画像形成装置１００内において用紙を搬送する。
【００３０】
開閉検知センサー７５は、給紙部５０の各給紙トレイＴ１〜Ｔ４に設けられており、各給紙トレイＴ１〜Ｔ４が開けられた（引き出された）こと、および、閉じられた（引き出された状態から戻された）ことを検知し、検知結果を制御部７１に出力する。
【００３１】
用紙検知センサー７６は、給紙部５０の各給紙トレイＴ１〜Ｔ４に設けられており、各給紙トレイＴ１〜Ｔ４内の用紙の有無および用紙の残量を検知し、検知結果を制御部７１に出力する。
【００３２】
次に、画像形成装置１００における動作について説明する。
【００３３】
図４は、画像形成装置１００において実行される履歴情報の記憶処理を示すフローチャートである。この処理は、制御部７１のＲＯＭに記憶されているプログラムとＣＰＵとの協働によるソフトウェア処理によって実現される。
【００３４】
履歴情報の記憶処理は、例えば、画像形成装置１００の表示部２０にジョブ確認画面（ジョブの内容が示されたリスト画面）や給紙トレイＴ１〜Ｔ４の用紙残量が表示された状態で、ユーザーがこれらの表示内容を確認して用紙を交換する場合に行われる。ユーザーが用紙を交換する場合の例として、次のジョブで使用される用紙がいずれの給紙トレイにも収納されておらず、次のジョブで使用される用紙を新たに収納したい場合や、将来的に実行されるジョブで使用される用紙がいずれの給紙トレイにも収納されておらず、そのジョブが実行されるまで使用されない給紙トレイがあり、その給紙トレイに収納されている用紙を将来的に実行されるジョブで使用される用紙と交換したい場合などが挙げられる。
【００３５】
まず、制御部７１は、各給紙トレイＴ１〜Ｔ４に設けられる開閉検知センサー７５の出力結果に基づいて、ユーザーの操作によって給紙トレイＴ１〜Ｔ４のいずれか一つが開けられたことを開閉検知センサー７５が検知したか否かを判断する（ステップＳ１０１）。
【００３６】
給紙トレイＴ１〜Ｔ４のいずれか一つが開けられたことを開閉検知センサー７５が検知した場合には（ステップＳ１０１でＹＥＳ）、制御部７１は、ステップＳ１０１において開けられたことを開閉検知センサー７５が検知した給紙トレイ（以下、該当給紙トレイ）について、各給紙トレイＴ１〜Ｔ４に設けられる用紙検知センサー７６に該当給紙トレイ内の用紙の有無を検知させる（ステップＳ１０２）。これによって、制御部７１は、ユーザーの操作によって該当給紙トレイが開けられた時に該当給紙トレイに用紙があったか否かを後のステップＳ１０５で判断する。
【００３７】
次に、制御部７１は、開閉検知センサー７５の出力結果に基づいて、ユーザーの操作によって該当給紙トレイが閉じられたことを開閉検知センサー７５が検知したか否かを判断する（ステップＳ１０３）。なお、ステップＳ１０２とステップＳ１０３との間で、ユーザーは、用紙を交換する給紙トレイから用紙を取り出し、その給紙トレイに新たに使用する用紙を収納する。
【００３８】
該当給紙トレイが閉じられたことを開閉検知センサー７５が検知した場合には（ステップＳ１０３でＹＥＳ）、制御部７１は、該当給紙トレイが閉じられたのが、該当給紙トレイが開けられた直後であるか否かを判断する（ステップＳ１０４）。該当給紙トレイが閉じられたのが、該当給紙トレイが開けられた直後であるか否かの判断は、例えば、該当給紙トレイが開けられたことを開閉検知センサー７５が検知してから、該当給紙トレイが閉められたことを開閉検知センサー７５が検知するまでの時間が、予め設定された時間内であるか否かにより判断する。
【００３９】
該当給紙トレイが閉じられたのが、該当給紙トレイが開けられた直後である場合（ステップＳ１０４でＹＥＳ）、制御部７１は、ステップＳ１０２において用紙検知センサー７６が該当給紙トレイ内の用紙の有無を検知した結果に基づいて、ユーザーの操作によって該当給紙トレイが開けられた時に該当給紙トレイ内に用紙があったか否かを判断する（ステップＳ１０５）。
【００４０】
また、該当給紙トレイが閉じられたのが、該当給紙トレイが開けられた直後でない場合（ステップＳ１０４でＮＯ）、制御部７１は、ユーザーの操作によって該当給紙トレイが開けられてから該当給紙トレイが閉じられるまでの間で用紙が取り出されていないと判断し、取り出しフラグを「Ｎｏ」に設定する（ステップＳ１０７）。
【００４１】
ユーザーの操作によって該当給紙トレイが開けられたことを開閉検知センサー７５が検知した場合に、該当給紙トレイ内に用紙があったと制御部７１が判断した場合（すなわち、ステップＳ１０２の用紙検知センサー７６による該当給紙トレイ内の用紙有無の検知結果が用紙ありだった場合；ステップＳ１０５でＹＥＳ）、制御部７１は、ユーザーの操作によって該当給紙トレイから用紙が取り出されていると判断し、履歴情報に含まれる前述の取り出しフラグを「Ｙｅｓ」に設定する（ステップＳ１０６）。ただし、ユーザーの操作によって給紙トレイが開けられ、その後用紙が取り出されずに給紙トレイが閉められる場合なども考えられる。このような場合も履歴情報に含まれる取り出しフラグは「Ｙｅｓ」に設定されるが、後のステップＳ１０８〜Ｓ１１１の判断によって、該当給紙トレイから用紙が取り出されていないと制御部７１が判断した場合には履歴情報は登録されない。そのため、該当給紙トレイから用紙が取り出されていないと制御部７１が判断した場合には、履歴情報は表示部２０に表示されないようになっている。
【００４２】
一方、ユーザーの操作によって該当給紙トレイが開けられたことを開閉検知センサー７５が検知した場合に、該当給紙トレイ内に用紙がなかったと制御部７１が判断した場合（すなわち、ステップＳ１０２の用紙検知センサー７６による該当給紙トレイ内の用紙有無の検知結果が用紙なしだった場合；ステップＳ１０５でＮＯ）、制御部７１は、ユーザーの操作によって該当給紙トレイから用紙が取り出されていないと判断し、取り出しフラグを「Ｎｏ」に設定する（ステップＳ１０７）。
【００４３】
給紙トレイの開閉を行う際には、ユーザーによって用紙交換以外の作業が行われる場合も考えられる。例えば、給紙トレイＴ１〜Ｔ４に収納されている用紙がなくなり（給紙トレイＴ１〜Ｔ４が空になり）、その用紙を続けて使用したい場合に、収納されている用紙がなくなった給紙トレイにその用紙を補給する場合がある。この場合、ユーザーの操作によって該当給紙トレイが開けられたことを開閉検知センサー７５が検知した場合に、制御部７１は、該当給紙トレイ内に用紙がなかったと判断し（ステップＳ１０５でＮＯ）、ユーザーの操作によって該当給紙トレイから用紙が取り出されていないと判断するので、ステップＳ１０７で取り出しフラグを「Ｎｏ」に設定する。また、給紙トレイＴ１〜Ｔ４に収納されている用紙がなくなった場合に、ユーザーの操作によって給紙トレイに収納されていた用紙と用紙情報の異なる用紙がその給紙トレイに収納される場合も考えられる。このような場合も、前述した用紙を補給する場合と同様に、ユーザーの操作によって該当給紙トレイが開けられたことを開閉検知センサー７５が検知した場合に、該当給紙トレイ内に用紙がなかったと制御部７１が判断し（ステップＳ１０５でＮＯ）、ステップＳ１０７で取り出しフラグが「Ｎｏ」に設定される。
【００４４】
また、ユーザーによって給紙トレイＴ１〜Ｔ４に収納されている用紙が取り出され、その後、該当給紙トレイが閉められるタイミングで用紙を収納しない場合も考えられる。例えば、処理の対象となる画像形成装置とは別の画像形成装置において、ユーザーが用紙の交換または補給が必要であると判断し、給紙トレイに用紙を収納する場合に、給紙トレイに収納される対象となる用紙の在庫が存在せず、処理の対象となる画像形成装置の給紙トレイＴ１〜Ｔ４から用紙が取り出される場合が考えられる。この場合は、ユーザーの操作によって該当給紙トレイが開けられたことを開閉検知センサー７５が検知した場合に、制御部７１は、該当給紙トレイ内に用紙があったと判断し（ステップＳ１０５でＹＥＳ）、ユーザーの操作によって該当給紙トレイから用紙が取り出されたと判断するので、ステップＳ１０６で取り出しフラグを「Ｙｅｓ」に設定する。
【００４５】
また、該当給紙トレイが閉められるタイミングで用紙が収納されていない他の例として、用紙交換が行われる際、まず、ユーザーの操作によって給紙トレイが開けられ、該当給紙トレイに収納されている用紙が取り出され、そのまま該当給紙トレイが一旦閉められた後、再びユーザーの操作によって該当給紙トレイが開けられ、該当給紙トレイに交換対象の用紙が収納され、該当給紙トレイが閉められるという場合（１回の交換に対して、２回給紙トレイが開閉される場合）が考えられる。このような場合は、まず、該当給紙トレイの１回目の開閉に伴う処理では、該当給紙トレイが開けられたことを開閉検知センサー７５が検知した場合に、該当給紙トレイ内に用紙があったと制御部７１が判断し（ステップＳ１０５でＹＥＳ）、ステップＳ１０６で取り出しフラグが「Ｙｅｓ」に設定される。その後、該当給紙トレイの２回目に伴う処理では、該当給紙トレイが開けられたことを開閉検知センサー７５が検知した場合に、該当給紙トレイ内に用紙がなかったと制御部７１が判断し（ステップＳ１０５でＮＯ）、ステップＳ１０７で取り出しフラグが「Ｎｏ」に設定される。したがって、１回の交換に対して２回給紙トレイが開閉される場合においても、取り出しフラグが「Ｙｅｓ」に設定されるのは１回である。そのため、１回の交換に対して１つの履歴情報が表示部２０に表示されることになる。
【００４６】
取り出しフラグを設定した後（ステップＳ１０６またはステップＳ１０７の後）、制御部７１は、再び用紙検知センサー７６に該当給紙トレイ内の用紙の有無を検知させ、該当給紙トレイが閉められた後に該当給紙トレイ内に用紙があるか否かを判断する（ステップＳ１０８）。
【００４７】
該当給紙トレイが閉められた後に該当給紙トレイ内に用紙がないと制御部７１が判断した場合（ステップＳ１０８でＹＥＳ）、制御部７１は、ユーザーの操作によって該当給紙トレイから用紙が取り出されている（取り出された結果用紙がなくなった）と判断し、該当給紙トレイのトレイ設定情報に含まれる用紙情報、および、ステップＳ１０６またはステップＳ１０７で設定された取り出しフラグ、現在時刻を履歴情報として記憶部７２に記憶させる（ステップＳ１１２）。
【００４８】
該当給紙トレイが閉められた後に該当給紙トレイ内に用紙があると制御部７１が判断した場合（ステップＳ１０８でＮＯ）、制御部７１は、ユーザーの操作によって該当給紙トレイが開けられたことを開閉検知センサー７５が検知する前に該当給紙トレイに用紙が収納されていた場合、その用紙のサイズと比較して該当給紙トレイに収納されている用紙のサイズが変わっているか否かを判断する（ステップＳ１０９）。該当給紙トレイに収納されている用紙のサイズが変わっているか否かを制御部７１が判断する手段として、図示しない用紙サイズ検知センサーを各給紙トレイＴ１〜Ｔ４に設けることができる（制御部７１は、用紙サイズ検知センサーの出力結果に基づいて、該当給紙トレイに収納されている用紙のサイズが変わっているか否か判断することができる）。なお、ユーザーの操作によって該当給紙トレイが開けられたことを開閉検知センサー７５が検知する前に該当給紙トレイに用紙が収納されていなかった場合、制御部７１は、該当給紙トレイに収納されている用紙のサイズが変わっていると判断する。
【００４９】
該当給紙トレイに収納されている用紙のサイズが変わったと制御部７１が判断した場合（ステップＳ１０９でＹＥＳ）、制御部７１は、用紙のサイズが変わったことから、ユーザーの操作によって該当給紙トレイの用紙が交換された、すなわち、交換前の用紙が取り出されたと判断し、該当給紙トレイのトレイ設定情報に含まれる用紙情報、および、ステップＳ１０６またはステップＳ１０７で設定された取り出しフラグ、現在時刻を履歴情報として記憶部７２に記憶させる（ステップＳ１１２）。
【００５０】
該当給紙トレイに収納されている用紙のサイズが変わっていないと制御部７１が判断した場合（ステップＳ１０９でＮＯ）、制御部７１は、ステップＳ１０１においてユーザーの操作によって該当給紙トレイが開けられたことを開閉検知センサー７５が検知した時から、該当給紙トレイのトレイ設定情報が変更されたか否かを判断する（ステップＳ１１０）。給紙トレイのトレイ設定情報を変更する処理は、ユーザー操作に基づいて行われる。
【００５１】
図５に、画像形成装置１００において実行されるユーザー操作に基づくトレイ設定情報を変更する処理のフローチャートを示す。この処理は、制御部７１のＲＯＭに記憶されているプログラムとＣＰＵとの協働によるソフトウェア処理によって実現される。
【００５２】
まず、制御部７１は、ユーザーの操作部１０からの操作によって用紙設定画面が呼び出されたか否かを判断する（ステップＳ２０１）。用紙設定画面は、各給紙トレイＴ１〜Ｔ４に対して、給紙トレイに収納されている用紙の用紙情報および用紙に対する制御情報等を対応づけ、トレイ設定情報として記憶部７２に記憶させるために表示部２０に表示される画面である。用紙設定画面は、例えば、表示部２０に表示された用紙設定釦がユーザーによって押下されることで呼び出される。
【００５３】
ユーザーの操作部１０からの操作によって用紙設定画面が呼び出されたと制御部７１が判断した場合（ステップＳ２０１）、制御部７１は、用紙設定画面１１０（図６参照）を表示部２０に表示させる（ステップＳ２０２）。
【００５４】
図６に、表示部２０に表示される用紙設定画面１１０の例を示す。用紙設定画面１１０には、トレイ選択領域１１１、設定情報表示領域１１２、設定変更釦Ｂ１１等が含まれる。トレイ選択領域１１１は、給紙トレイＴ１〜Ｔ４の中からトレイ設定情報を変更する処理の対象とする給紙トレイを選択するための領域である。設定情報表示領域１１２は、トレイ選択領域１１１においてユーザーによって選択された給紙トレイに対応するトレイ設定情報が表示される領域である。ここで、制御部７１は、ユーザーによって選択された給紙トレイに対応するトレイ設定情報を記憶部７２から読み出し、読み出したトレイ設定情報に基づいて、ユーザーによって選択された給紙トレイに対応するトレイ設定情報を設定情報表示領域１１２に表示させる。設定変更釦Ｂ１１は、トレイ選択領域１１１においてユーザーによって選択された給紙トレイに対応するトレイ設定情報の変更を指示するための釦である。
【００５５】
図５に戻り、用紙設定画面１１０のトレイ選択領域１１１において、ユーザーが操作部１０からの操作によってトレイ設定情報を変更する処理の対象とする給紙トレイを選択したことを受け、制御部７１は、ユーザーによって選択された給紙トレイを、トレイ設定情報を変更する処理の対象として設定する（ステップＳ２０３）。
【００５６】
次に、制御部７１は、ユーザーの操作部１０からの操作によって用紙設定画面１１０の設定変更釦Ｂ１１が押下されたか否かを判断する（ステップＳ２０４）。
【００５７】
設定変更釦Ｂ１１が押下されたと制御部７１が判断した場合（ステップＳ２０４でＹＥＳ）、制御部７１は、設定変更画面１２０（図７参照）を表示部２０に表示させる（ステップＳ２０５）。
【００５８】
図７に、表示部２０に表示される設定変更画面１２０の例を示す。設定変更画面１２０には、変更項目選択領域１２１、詳細設定領域１２２、ＯＫ釦Ｂ２１等が含まれる。変更項目選択領域１２１は、ユーザーによって選択された給紙トレイに対応するトレイ設定情報について、変更する項目（用紙の種類、用紙のサイズ、用紙の坪量など）をユーザーに選択させるための領域である。詳細設定領域１２２は、変更項目選択領域１２１においてユーザーによって選択された項目に対して、変更内容をユーザーに設定させるための領域である。図７では、変更項目選択領域１２１において「用紙種類」が選択されているため、詳細設定領域１２２には「用紙種類」の内容を設定するための選択肢として、「普通紙」、「上質紙」、「カラー用紙」が表示されている。ＯＫ釦Ｂ２１は、設定変更画面１２０においてユーザーによって変更された内容を確定させるための釦である。
【００５９】
図５に戻り、制御部７１は、ユーザーの操作部１０からの操作によってトレイ設定情報を変更する処理の対象となった給紙トレイに対する設定変更処理を行う（ステップＳ２０６）。設定変更処理では、ユーザーが設定変更画面１２０において、トレイ設定情報を変更する処理の対象となった給紙トレイのトレイ設定情報を変更し、ＯＫ釦Ｂ２１を押下したことを受け、制御部７１は、変更された内容に基づいて、記憶部７２のトレイ設定情報を変更する処理の対象となった給紙トレイに対応するトレイ設定情報を新たに記憶する。以上で、ユーザー操作に基づくトレイ設定情報を変更する処理が終了する。
【００６０】
なお、記憶部７２は、ユーザー操作に基づくトレイ設定情報を変更する処理が行われた場合に、ユーザーによってトレイ設定情報が変更される少なくとも一つ前のトレイ設定情報を記憶保持できる構成となっている。
【００６１】
図４に戻り、ユーザーの操作によって該当給紙トレイが開けられたことを開閉検知センサー７５が検知した時から、該当給紙トレイのトレイ設定情報が変更されていると制御部７１が判断した場合（ステップＳ１１０でＹＥＳ）、制御部７１は、トレイ設定情報が変更されていることから、ユーザーの操作によって該当給紙トレイの用紙が交換された、すなわち、交換前の用紙が取り出されたと判断し、該当給紙トレイのトレイ設定情報が変更される前のトレイ設定情報（変更前のトレイ設定情報）に含まれる用紙情報、および、ステップＳ１０６またはステップＳ１０７で設定された取り出しフラグ、現在時刻を履歴情報として記憶部７２に記憶させる（ステップＳ１１２）。ここでは、該当給紙トレイのトレイ設定情報が変更された後に変更前のトレイ設定情報を記憶部７２に記憶させる必要がある。そのため、変更前のトレイ設定情報は、該当給紙トレイのトレイ設定情報が変更されても記憶部７２から失われないよう、該当給紙トレイのトレイ設定情報が変更される前に記憶部７２に別途記憶しておく。
【００６２】
ユーザーの操作によって該当給紙トレイが開けられたことを開閉検知センサー７５が検知した時から、該当給紙トレイのトレイ設定情報が変更されていないと制御部７１が判断した場合（ステップＳ１１０でＮＯ）、制御部７１は、用紙検知センサー７６が検知した該当給紙トレイに収納されている用紙の残量が、ユーザーの操作によって該当給紙トレイが開けられたことを開閉検知センサー７５が検知した時と比較して減っているか否かを判断する（ステップＳ１１１）。
【００６３】
用紙検知センサー７６が検知した該当給紙トレイに収納されている用紙の残量が、ユーザーの操作によって該当給紙トレイが開けられたことを開閉検知センサー７５が検知した時と比較して減っていないと制御部７１が判断した場合（ステップＳ１１１でＮＯ）、制御部７１は、ユーザーの操作によって該当給紙トレイの用紙が取り出されていないと判断し、履歴情報を記憶部７２に記憶せずに履歴情報の記憶処理を終了する。
【００６４】
用紙検知センサー７６が検知した該当給紙トレイに収納されている用紙の残量が、ユーザーの操作によって該当給紙トレイが開けられたことを開閉検知センサー７５が検知した時と比較して減っていると制御部７１が判断した場合（ステップＳ１１１でＹＥＳ）、制御部７１は、ユーザーの操作によって該当給紙トレイから用紙が取り出されたと判断し、該当給紙トレイのトレイ設定情報に含まれる用紙情報、および、ステップＳ１０６またはステップＳ１０７で設定された取り出しフラグ、現在時刻を履歴情報として記憶部７２に記憶させる（ステップＳ１１２）。
【００６５】
また、現在時刻に関して、これらの情報（用紙情報、取り出しフラグ、時刻）を記憶部７２に記憶させる時刻を現在時刻とするが、記憶させる時刻は現在時刻に限らず、該当給紙トレイから用紙が取り出された場合には、該当給紙トレイから用紙が取り出されたことを用紙検知センサー７６に検知させ、該当給紙トレイから用紙が取り出されたことを用紙検知センサー７６が検知した時刻を記憶してもよい。また、ステップ１０１またはステップ１０３において開閉検知センサー７５がユーザーによる該当給紙トレイの開閉（開かれたことまたは閉められたこと）を検知した時刻を記憶させてもよい。以上で、履歴情報の記憶処理が終了する。
【００６６】
図８は、各給紙トレイＴ１〜Ｔ４に対して設定されるトレイ設定情報および履歴情報が連結リストの構造で記憶されている例を示す図である。トレイ設定情報は、ユーザー操作に基づくトレイ設定情報を変更する処理によって各給紙トレイＴ１〜Ｔ４に対応づけられて記憶部７２に記憶されたものである。例えば、給紙トレイＴ１のトレイ設定情報は、用紙のサイズが「Ａ４」、用紙の種類が「普通紙」、用紙の名称が「普通紙」、用紙の坪量が「７１ｇ／ｍ２」（ｍ２は平方メートルを表している）に設定されていることが分かるようになっている。すなわち、給紙トレイＴ１には、現在、Ａ４サイズの普通紙が収納されていることが分かるようになっている。
【００６７】
履歴情報は、制御部７１による履歴情報の記憶処理によって各給紙トレイＴ１〜Ｔ４に対応づけられて記憶部７２に記憶されたものである。各給紙トレイＴ１〜Ｔ４に対し、図８の左側ほど新しい履歴情報であり、右側ほど古い履歴情報である。例えば、給紙トレイＴ１では、午前８時、午前９時、午前１１時の３回交換が行われていることが分かるようになっている。ここで、各履歴情報に示されている丸数字１〜５は、説明のために示したものであり、すべての給紙トレイＴ１〜Ｔ４を対象として用紙の交換が行われた順序（用紙交換順）を示す（丸数字の数が小さいほど古い履歴情報であり、丸数字の数が大きいほど新しい履歴情報である）。
【００６８】
例えば、丸数字１が示された履歴情報は、給紙トレイＴ１から用紙が取り出された時刻が「１／１  ０８：００」（１月１日の午前８時ちょうどを表している）、取り出された用紙のサイズが「Ａ４」、取り出された用紙の紙種が「普通紙」、取り出された用紙の名称が「上質紙」、取り出された用紙の坪量が「５５ｇ／ｍ２」、取り出しフラグが「Ｙｅｓ」であることが分かるようになっている。取り出しフラグが「Ｙｅｓ」であることは、午前８時に給紙トレイＴ１から用紙が取り出されたことを示している。すなわち、給紙トレイＴ１には、午前８時まで今示した内容の用紙が収納されていて、午前８時に丸数字２が示された履歴情報の内容が示す用紙（用紙のサイズが「Ａ４」、用紙の種類が「普通紙」、用紙の名称が「普通紙」、用紙の坪量が「７１ｇ／ｍ２」、取り出しフラグが「Ｙｅｓ」）に交換されたことが分かるようになっている。
【００６９】
また、丸数字３が示された履歴情報は、時刻が「１／１  １０：００」、取り出しフラグが「Ｎｏ」である。これは、午前１０時において給紙トレイＴ３が開閉されたが、用紙が取り出されなかったことを示している。すなわち、午前１０時において給紙トレイＴ３に用紙が補充されたことを意味している。このように、取り出しフラグによって、給紙トレイから用紙が取り出されたか否かを知ることができるようになっている。
【００７０】
なお、履歴情報は、日をまたぐ（画像形成装置１００の電源がオフおよびオンされる、または、予め定められた時刻になる）と消去される。これにより、履歴情報が増えすぎることを防止することができるが、日をまたいでも消去しないようにしてもよい。また、履歴情報が所定の数になると履歴情報に含まれる時刻が古いものから消去していくように設定されてもよい。
【００７１】
図９は、記憶部７２に記憶されたすべての給紙トレイＴ１〜Ｔ４に対応する履歴情報を読み出し、用紙交換順に並べ替えて表示部２０に表示させる履歴情報表示処理を示すフローチャートである。この処理は、制御部７１のＲＯＭに記憶されているプログラムとＣＰＵとの協働によるソフトウェア処理によって実現される。
【００７２】
まず、制御部７１は、給紙トレイＴ１を履歴情報表示処理の対象とする（ステップＳ３０１）。履歴情報は、制御部７１によって各給紙トレイＴ１〜Ｔ４に対応づけられて記憶部７２に記憶されているので、ステップＳ３０１では、制御部７１は、まず給紙トレイＴ１に対応づけられて記憶部７２に記憶されている履歴情報に対してステップＳ３０２以降の処理を行う。ステップＳ３０２において、制御部７１は、記憶部７２に記憶されている情報に基づいて、履歴情報表示処理の対象となっている給紙トレイに対する履歴情報が存在するか否かを判断する（ステップＳ３０２）。
【００７３】
履歴情報表示処理の対象となった給紙トレイに対する履歴情報が存在すると制御部７１が判断した場合（ステップＳ３０２でＹＥＳ）、制御部７１は、履歴情報表示処理の対象となっている給紙トレイに対する履歴情報を記憶部７２から１つ読み出し、その履歴情報に含まれている取り出しフラグが「Ｙｅｓ」であるか否かを判断する（ステップＳ３０３）。
【００７４】
記憶部７２から読み出した履歴情報に含まれている取り出しフラグが「Ｙｅｓ」であった場合（ステップＳ３０３でＹＥＳ）、制御部７１は、その履歴情報を表示用履歴情報リストに登録する（ステップＳ３０４）。すなわち、その履歴情報が後に表示部２０に表示させるための履歴情報であることを記憶部７２に記憶させる。
【００７５】
ステップＳ３０４の後または記憶部７２から読み出した履歴情報に含まれている取り出しフラグが「Ｎｏ」であった場合（ステップＳ３０３でＮＯ）、その履歴情報を表示用履歴情報リストに登録せず、制御部７１は、記憶部７２に記憶されている情報に基づいて、履歴情報表示処理の対象となっている給紙トレイに対する履歴情報が他にも存在するか否かを判断する（ステップＳ３０５）。履歴情報表示処理の対象となっている給紙トレイに対する履歴情報が他にも存在する場合（ステップＳ３０５でＹＥＳ）、履歴情報表示処理は再びステップＳ３０３へ移行し、これを履歴情報表示処理の対象となっている給紙トレイに対する履歴情報が存在しなくなるまで繰り返し行う（ステップＳ３０３とステップＳ３０４とを繰り返し行う）。すなわち、履歴情報表示処理の対象となっている給紙トレイに対するすべての履歴情報に対し、取り出しフラグが「Ｙｅｓ」である履歴情報を表示用履歴情報リストに登録する。このように、取り出しフラグを用いることで、用紙の取り出しが行われていない場合に履歴情報が登録されたとしても、取り出しフラグが「Ｙｅｓ」である履歴情報のみを表示用履歴情報リストに登録するので、用紙の取り出しが行われていない履歴情報を表示することを防ぐことができる。これにより、ユーザーは表示された履歴情報を見て、取り出した用紙に関する情報のみを知ることができ、取り出した用紙に関する情報の管理を容易に行うことができる。
【００７６】
履歴情報表示処理の対象となっている給紙トレイに対する履歴情報が存在しない場合（ステップＳ３０５でＮＯ）、または、ステップＳ３０２において履歴情報表示処理の対象となった給紙トレイに対して履歴情報が存在しなかった場合（ステップＳ３０２でＮＯ）、制御部７１は、すべての給紙トレイを履歴情報表示処理の対象としたか否かを判断する（ステップＳ３０６）。まだ履歴情報表示処理の対象となっていない給紙トレイが存在する場合（ステップＳ３０６でＮＯ）、制御部７１は、履歴情報表示処理の対象となっていない給紙トレイを対象として（ステップＳ３０７）、ステップＳ３０２から再び履歴情報表示処理を行う。例えば、ステップＳ３０６まで給紙トレイＴ１が履歴情報表示処理の対象になっていた場合、次に給紙トレイＴ２を対象としてステップＳ３０２からステップＳ３０５の処理を行う。
【００７７】
すでにすべての給紙トレイを履歴情報表示処理の対象としたと制御部７１が判断した場合（ステップＳ３０６でＹＥＳ）、制御部７１は、表示用履歴情報リストに登録された履歴情報を、履歴情報に含まれる時刻情報に基づいて、時刻順（前述した用紙交換順）に並べ替える（ステップＳ３０８）。
【００７８】
次に、制御部７１は、表示用履歴情報リストの時刻順に並べ替えられた履歴情報を、新しいものから別途予め設定された数だけ表示部２０に表示させる（ステップＳ３０９）。別途予め設定される数は、ユーザーの操作部１０からの操作によって記憶部７２に記憶させるか、画像形成装置の製造時に制御部７１のＲＯＭに記憶させておく。以上で、履歴情報表示処理を終了する。
【００７９】
図１０は、履歴情報表示処理によって表示部２０に表示される履歴情報表示画面１３０の例である。履歴情報表示画面１３０には、履歴情報表示領域１３１、履歴削除釦Ｂ３１等が含まれる。履歴情報表示領域１３１は、履歴情報表示処理（図９参照）のステップＳ３０８で時刻順に並べ替えられた履歴情報が表示される領域である。ここでは、各履歴情報の表示内容として、収納されていた給紙トレイ、用紙の種類、用紙の名称、用紙の坪量が表示されている。なお、用紙サイズを表示内容に加えて表示させてもよい。また、ここでは、上から新しい順に最も新しいものから履歴情報が並べられている。なお、履歴情報表示処理（図９参照）のステップＳ３０９における「別途設定した数」は３である。また、図１０の履歴情報表示領域１３１に表示されている履歴情報は、上から順に、履歴情報の記憶例（図８参照）の丸数字５、丸数字４、丸数字２が示された履歴情報に対応する履歴情報である（前述したように、丸数字の数が大きいほど履歴情報が新しい）。丸数字３が示された履歴情報が履歴情報表示領域１３１に表示されていないのは、丸数字３が示された履歴情報に含まれる取り出しフラグが「Ｎｏ」であるため、履歴情報表示処理（図９参照）のステップＳ３０３でＮＯとなり、ステップＳ３０４に処理が移行せず、丸数字３が示された履歴情報が表示用履歴情報リストに登録されないからである。履歴削除釦Ｂ３１は、履歴情報表示領域１３１に表示された履歴情報を削除するための釦である。
【００８０】
ユーザーによって履歴削除釦Ｂ３１が押下されると、制御部７１は、記憶部７２に記憶されている履歴情報を削除し、履歴情報表示領域１３１に表示された履歴情報を表示させないようにする。この際、記憶部７２に記憶されている履歴情報をすべて削除してもよいし、履歴情報表示領域１３１に表示された履歴情報に対応する履歴情報のみを削除し、削除後に記憶部７２に残っている履歴情報のうち新しいものを最も新しいものから順に再び履歴情報表示領域１３１に表示させてもよい。このようにすることで、ユーザーは用紙に関する情報のうち、ユーザーが必要と判断した情報のみを管理すればよいので、用紙に関する情報の管理を容易に行うことができる。なお、履歴情報表示領域１３１に表示された各履歴情報をユーザーにより選択可能とし、履歴情報表示領域１３１に表示された各履歴情報をユーザーが押下することによって各履歴情報を選択状態とし、各履歴情報が選択状態となっている場合にユーザーが履歴削除釦Ｂ３１を押下すると、制御部７１は、選択状態となっている履歴情報に対応する履歴情報のみを記憶部７２から削除してもよい。さらに、制御部７１は、選択状態となっている履歴情報をユーザーが再び押下した場合に、選択状態を解除させてもよい。
【００８１】
図１１は、上述の実施形態の変形例として、履歴情報としてジョブ情報およびジョブのサムネイル情報を用いる場合の履歴情報の記憶処理を示すフローチャートである。ステップＳ４０１〜Ｓ４１１は、図４のステップＳ１０１〜Ｓ１１１と同じであるため、説明を省略する。
【００８２】
ステップＳ４１２において、制御部７１は、ステップＳ４０１において開けられたことを開閉検知センサー７５が検知した給紙トレイ（該当給紙トレイ）のトレイ設定情報に含まれる用紙情報、および、取り出しフラグ、現在時刻に加え、該当給紙トレイを使った直近のジョブ情報およびジョブのサムネイル情報を履歴情報として記憶部７２に記憶させる。ジョブ情報とは、ジョブの開始時刻および終了時刻、出力枚数（ジョブによって出力した用紙の枚数）、ジョブ完了情報（ジョブが正常に完了したか否かの情報）、発信元情報（ジョブを行ったユーザーに関する情報）等のジョブに関する情報である。ジョブのサムネイル情報とは、ジョブによって形成された画像に関する情報（例えば、縮小画像）である。なお、該当給紙トレイを使った直近のジョブ情報およびジョブのサムネイル情報は、事前に（履歴情報の記憶処理を行う前に）各給紙トレイＴ１〜Ｔ４に対して記憶されている。ジョブ情報およびジョブのサムネイル情報を記憶する処理を以下で図１２を用いて説明する。
【００８３】
図１２に、ジョブ情報およびジョブのサムネイル情報の記憶処理を示すフローチャートを示す。この処理は、画像形成を伴うジョブが実行された場合に行われる。
【００８４】
まず、制御部７１は、ジョブが終了したか否かを判断する（ステップＳ５０１）。
【００８５】
ジョブが終了したと制御部７１が判断した場合（ステップＳ５０１でＹＥＳ）、制御部７１は、そのジョブで使用した給紙トレイ（そのジョブで使用した用紙を収納していた給紙トレイ。以下、該当給紙トレイ）を抽出する。すなわち、使用した給紙トレイが給紙トレイＴ１〜Ｔ４のいずれであるかを判断する（ステップＳ５０２）。
【００８６】
次に、制御部７１は、該当給紙トレイのジョブエリアにジョブ名を登録する（ステップＳ５０３）。ジョブエリアとは、ジョブに関する情報を記憶するために、各給紙トレイＴ１〜Ｔ４に対して記憶部７２に設けられた領域である。ジョブ名とは、個々のジョブを識別するための名前である。なお、後に説明する図１３では、「ジョブＡ」「ジョブＢ」「ジョブＣ」「ジョブＤ」「ジョブＥ」である。
【００８７】
ステップＳ５０３の後、制御部７１は、該当給紙トレイのジョブエリアにサムネイルを登録する（ステップＳ５０４）。なお、サムネイルは、ジョブの指示を受け付けた際の画像データを記憶部７２に記憶しておいたものを登録してもよいし、搬送部７４に設けられたインラインセンサーによって取得したものを登録してもよい。以上で、ジョブ情報およびジョブのサムネイル情報の記憶処理を終了する。
【００８８】
図１３に、履歴情報としてジョブ情報およびジョブのサムネイル情報を用いる場合の履歴情報の記憶例を示す。図１３に「ジョブＡで利用」等と示すように、各履歴情報には、取り出された用紙が収納されていた給紙トレイを使った直近のジョブ（その用紙を使った直近のジョブ）のジョブ名が含まれる。制御部７１は、履歴情報に含まれるジョブ名から、そのジョブに対応するジョブ情報を記憶部７２から読み出すことが可能となっている。また、図１３には図示していないが、各履歴情報にはジョブのサムネイル情報も含まれる。制御部７１は、履歴情報表示画面１３０の履歴情報表示領域１３１（図１４参照）が呼び出された場合に、記憶部７２に記憶されている履歴情報に含まれる用紙が収納されていた給紙トレイを使った直近のジョブの情報に基づいて、そのジョブに関する情報（ジョブ情報）およびジョブのサムネイル情報を履歴情報表示領域１３１に表示させる。ここで、履歴情報表示領域１３１が呼び出される場合とは、ユーザーの操作部１０からの操作によって呼び出される場合や、表示部２０に表示させるホーム画面（画像形成装置を起動させた際に初めに表示される画面）を表示する場合が挙げられる。履歴情報表示領域１３１をユーザーの操作部１０からの操作によって呼び出すようにする場合は、表示部２０に呼び出し釦を設けてもよい。その場合、制御部７１は、ユーザーによって呼び出し釦が押下された場合に、履歴情報表示領域１３１を表示させる。さらに、履歴情報表示領域１３１を閉じる釦を設けて、ユーザーによって押下された場合に履歴情報表示領域１３１を閉じるようにしてもよい。また、履歴情報表示領域１３１をホーム画面に表示させる場合は、履歴情報表示領域１３１を常に表示させてもよいし、前述の履歴情報表示領域１３１を閉じる釦を設けて、ユーザーによって押下された場合には履歴情報表示領域１３１を閉じるようにしてもよい。
【００８９】
図１４に、履歴情報としてジョブ情報およびジョブのサムネイル情報を用いる場合の履歴情報表示画面１３０の例を示す。履歴情報としてジョブ情報およびジョブのサムネイル情報を用いる場合の例として、履歴情報表示領域１３１内にサムネイル表示領域１３２を設けている。サムネイル表示領域１３２は、ジョブのサムネイル情報を表示させるための領域である。ジョブ情報およびジョブのサムネイル情報を表示部２０に表示するので、取り出した用紙がどのように用いられていたか（直近のジョブでどのような画像を形成したか、何枚形成したか等）を知ることができ、これによって用紙がどのような用紙であったかを特定しやすくなる。なお、この例では、サムネイル表示領域１３２において、どのサムネイル情報も同じ大きさで表示されているが、履歴情報に含まれている用紙サイズに応じてサムネイル情報の大きさを変更して表示させてもよい。
【００９０】
図１５は、変形例として、履歴情報表示領域１３１に用紙を示す記号を表示する例である。上記実施の形態では、履歴情報表示領域１３１に履歴情報を表示させる際、各履歴情報は角が丸い枠（図１０参照）の中に表示されていたが、図１５に示すように、この枠を用紙の形にし、用紙を示す記号を表示させてもよい。用紙を示す記号とは、例えば、短辺：長辺＝１：√２の長方形であってもよいし、さらに、図１５に示すように用紙であることを表現するために長方形の一つの角を折った形でもよい。図１５では、用紙を示す記号の中に履歴情報を表示しているが、用紙を示す記号の外であってもよい。また、履歴情報表示領域１３１に表示された用紙を示す記号をユーザーにより選択可能とし、個々の用紙を示す記号をユーザーが押下することによって各履歴情報を表示させてもよい。このように履歴情報表示領域１３１に用紙を示す記号を表示させることにより、履歴情報表示領域１３１に表示された履歴情報が用紙に関する情報であることをユーザーが容易に認識することができる。
【００９１】
図１６は、さらに、履歴情報表示領域１３１に机を示す記号を表示し、机を示す記号上に用紙を示す記号を表示する例である。履歴情報表示領域１３１に机を示す記号を表示し、その上（机を示す記号上）に用紙を示す記号を並べることによって、ユーザーが複数の給紙トレイから用紙を取り出し、取り出した用紙を机の上に並べた状態を表現することができる。このようにすることで、ユーザーは履歴情報表示領域１３１に表示された履歴情報と、実際に机の上に並べられた用紙とを見比べることができるので、より容易に用紙に関する情報を管理することができる。なお、用紙を示す記号を並べる方向を選択可能としてもよい（縦または横等）。その方法として、例えば、履歴情報表示領域１３１に用紙配置設定釦を設けてユーザーにより選択可能とし、制御部７１は、ユーザーが用紙配置設定釦を押下したことを受け付けると用紙配置設定画面を表示部２０に表示させる。さらに、用紙配置設定画面に縦または横等の釦が配置された方向指定領域および決定釦を設け、ユーザーが方向指定領域から任意の方向を選択し、選択後決定釦を押下すると、制御部７１は、決定釦の押下を受け、ユーザーによって選択された方向を取得し、その方向に用紙を示す記号を並べる。
【００９２】
以上説明したように、本実施の形態の画像形成装置１００によれば、給紙トレイＴ１〜Ｔ４の用紙交換時に用紙が取り出された場合に、各給紙トレイＴ１〜Ｔ４に対して設定された用紙情報を履歴情報として記憶部７２に記憶させ、その履歴情報を表示部２０に表示させるので、取り出された用紙に関する情報の管理を容易に行うことができる。ユーザーは表示部２０に表示された履歴情報を見れば、取り出された用紙に関する情報を知ることができ、その用紙に関する情報の管理を容易に行うことができる。
【００９３】
例えば、履歴情報に、用紙の取り出しに対応した時刻を含め、表示部２０に表示させることで、ユーザーは用紙の交換順に関する情報を知ることができる。さらに、履歴情報のうち少なくとも最新のものを表示部２０に表示させることで、ユーザーは取り出したばかりの用紙に関する情報を知ることができる。また、履歴情報を用紙交換順に表示部２０に表示させることで、用紙の交換順に関する情報を把握しやすくすることができる。さらに、複数の給紙トレイから同時に用紙を取り出した場合でも、履歴情報が用紙交換順に表示されるので、ユーザーは用紙を取り出した順から用紙がどのような用紙であったか判断しやすくなる。
【００９４】
また、履歴情報に、いずれの給紙トレイから用紙が取り出されたかの情報を含むことで、ユーザーは取り出された用紙が給紙トレイＴ１〜Ｔ４のうち、いずれの給紙トレイから取り出されたのかを知ることができ、いずれの給紙トレイから取り出されたかという情報から用紙がどのような用紙であったか判断しやすくなる。
【００９５】
また、制御部７１による履歴情報の記憶処理は、給紙トレイＴ１〜Ｔ４の開閉に伴って開始されるので、ユーザーが積極的に履歴情報を記憶させようとすることなく、履歴情報の記憶処理が行われる。ここで、「給紙トレイＴ１〜Ｔ４の開閉に伴って開始される」とは、給紙トレイが開かれた場合もしくは閉じられた場合、または、給紙トレイが開かれた時もしくは閉じられた時から所定の時間（所定の処理を行って経過した時間）内において履歴情報の記憶処理が開始される場合をいう。さらに、給紙トレイＴ１〜Ｔ４の開閉に伴って開始するので、給紙トレイＴ１〜Ｔ４の開閉に関係なくトレイ設定情報を変更する処理が行われた場合には、誤って履歴情報が記憶されることがない。また、制御部７１は、トレイ設定情報を変更する処理が行われた場合に履歴情報を記憶部７２に記憶させるので、ユーザーが積極的に履歴情報を記憶させようとすることなく、履歴情報が記憶される。
【００９６】
また、操作部１０および履歴削除釦Ｂ３１を備え、ユーザーによる履歴情報を削除する指示を制御部７１が受信した場合に、制御部７１は表示部２０に履歴情報の表示を消去させるので、ユーザーは表示させる必要のなくなった履歴情報を表示部２０から消去することができる。履歴情報の表示を消去後、ユーザーは用紙に関する情報のうち、ユーザーが必要と判断した情報のみを管理すればよいので、用紙に関する情報の管理を容易に行うことができる。また、ユーザーによる履歴情報を削除する指示を制御部７１が受信した場合に、制御部７１は記憶部７２に履歴情報を削除させるので、必要のなくなった履歴情報を記憶部７２から削除することができる。これにより、必要のなくなった履歴情報を見て取り出された用紙に関する情報を間違って知ることを防止できる。
【００９７】
また、ジョブ情報およびジョブのサムネイル情報を履歴情報に含むようにした場合は、ジョブ情報およびジョブのサムネイル情報を表示部２０に表示するので、取り出した用紙がどのように用いられていたか（直近のジョブでどのような画像を形成したか、何枚形成したか等）を知ることができる。これにより、用紙がどのような用紙であったかを特定しやすくなる。
【００９８】
また、前述したように、ユーザーによって用紙の補給が行われた場合は、取り出しフラグが「Ｎｏ」に設定され、用紙の補給に対応する履歴情報を表示部２０に表示しないので、給紙トレイの開閉があったにも関わらず取り出された用紙が存在しない場合に、用紙に関する不要な情報をユーザーが知ることを防止できる。
【００９９】
なお、上記実施の形態における記述は、本発明に係る画像形成装置の例であり、これに限定されるものではない。装置を構成する各部の細部構成および細部動作に関しても本発明の趣旨を逸脱することのない範囲で適宜変更可能である。
【０１００】
例えば、上記実施の形態では、履歴情報を用紙交換順に表示部２０に表示させる際、履歴情報に含まれる時刻情報に基づいて履歴情報を用紙交換順に並べ替える処理を行ったが、履歴情報に時刻情報を含めず、制御部７１が履歴情報を記憶部７２に記憶させる度に用紙交換順に関する情報を記憶させてもよい。例えば、制御部７１は、履歴情報を初めて記憶部７２に記憶させる際に番号１をともに記憶させ、履歴情報を記憶させる度に番号を１ずつ増やして記憶させてもよい（すなわち、前述の丸数字を履歴情報に含める）。
【０１０１】
また、履歴情報を表示部２０に表示させる際、すべての給紙トレイＴ１〜Ｔ４を対象として表示させる例を説明したが、履歴情報を給紙トレイＴ１〜Ｔ４毎に分割させて表示部２０に表示させてもよい。例えば、履歴情報表示領域１３１にさらに給紙トレイＴ１、給紙トレイＴ２、給紙トレイＴ３、給紙トレイＴ４の履歴情報をそれぞれ表示させる４つの領域を設けて、それぞれの給紙トレイに対応する履歴情報を各領域に表示させてもよい。さらに、給紙トレイ毎の履歴情報表示領域をユーザーにより選択可能とし、制御部７１は、ユーザーによって給紙トレイ毎の履歴情報表示領域が押下され選択された場合に、その給紙トレイに対応する履歴情報を表示部２０に表示させてもよい。また、さらに選択完了釦を設け、ユーザーが複数の給紙トレイ毎の履歴情報表示領域を選択した後、選択完了釦を押下することを受け、制御部７１は、選択された複数の給紙トレイに対応する履歴情報を表示させてもよい。なお、このように給紙トレイ毎に履歴情報を表示部２０に表示させる場合に、履歴情報をさらに用紙交換順に表示させると、いずれの給紙トレイから取り出されたかという情報に加え、用紙の交換順に関する情報も同時に把握でき、より効果的である。
【０１０２】
また、上記実施の形態では、取り出しフラグを「Ｙｅｓ」または「Ｎｏ」に設定される情報として記憶されるフラグとして、取り出しフラグによって給紙トレイＴ１〜Ｔ４から用紙が取り出されたことを管理する例を説明したが、用紙検知センサー７６の検知結果に基づいて取り出し枚数に関する情報を履歴情報として記憶し、取り出し枚数に関する情報を表示部２０に表示させてもよい。取り出し枚数に関する情報により取り出し枚数が「０」である場合が取り出しフラグが「Ｎｏ」に設定される場合に相当し、取り出し枚数に関する情報により取り出し枚数が「０」でない場合が取り出しフラグが「Ｙｅｓ」に設定される場合に相当する。
【０１０３】
また、上記実施の形態では、給紙トレイはＴ１〜Ｔ４の４つ備えることとしたが、給紙トレイは少なくとも１つあればいくつあってもよい。
【０１０４】
また、上記実施の形態では、画像形成装置１００が給紙部５０および用紙処理部６０を備えることとしたが、給紙部５０および用紙処理部６０のそれぞれを独立した装置として、これらが画像形成装置１００と接続されていてもよい。
【符号の説明】
【０１０５】
１０  操作部
２０  表示部
４０  画像形成部
５０  給紙部
７１  制御部
７２  記憶部
７４  搬送部
７５  開閉検知センサー
７６  用紙検知センサー
１００  画像形成装置
Ｔ１〜Ｔ４  給紙トレイ
【図１】
2016182712.tif 000003
【図２】
2016182712.tif 000004
【図３】
2016182712.tif 000005
【図４】
2016182712.tif 000006
【図５】
2016182712.tif 000007
【図６】
2016182712.tif 000008
【図７】
2016182712.tif 000009
【図８】
2016182712.tif 000010
【図９】
2016182712.tif 000011
【図１０】
2016182712.tif 000012
【図１１】
2016182712.tif 000013
【図１２】
2016182712.tif 000014
【図１３】
2016182712.tif 000015
【図１４】
2016182712.tif 000016
【図１５】
2016182712.tif 000017
【図１６】
2016182712.tif 000018